Podtech/llm-jp-corpus-v4-ja_patent huggingface dataset:
(57)【要約】      （修正有）【課題】栄養価の高いかぼちゃの食用範囲を拡大するとともに、従来と異なった味覚の大根の漬物を甘味料、着色剤等の添加物を使用しないで製造する、大根のかぼちゃ漬けの製造方法。【解決手段】樽Ａ内に煮てすり潰したかぼちゃ１を敷均し、その上に砂糖２を敷均し、その上に塩３を敷均し、その上に糠４を敷均した後、その上に水分を減少させた大根５を隙間なく敷詰め、さらに大根の上に前記と同様に順次かぼちゃ、砂糖、塩及び糠を敷均し、大根を敷詰めて、落とし蓋及び重石を載せて数週間漬け込む。好ましくは、前記大根の敷詰めを各層対角方向にする、大根のかぼちゃ漬けの製造方法。。【選択図】図１
2019118264.tif 000002
【特許請求の範囲】
【請求項１】
乾燥により水分を減少させた大根と、煮てすり潰したかぼちゃと、砂糖、塩、糠と、からなり、漬物樽内に前記かぼちゃを敷均し、その上に砂糖を敷均し、その上に塩を敷均し、その上に糠を敷均した後、その上に前記大根を隙間なく敷詰め、さらに大根の上に前記と同様に順次かぼちゃ、砂糖、塩及び糠を敷均し、大根を敷詰めて、落とし蓋及び重石を載せて数週間漬け込むことを特徴とする大根のかぼちゃ漬けの製造方法。
【請求項２】
前記かぼちゃ、砂糖、塩、糠及び大根を順次多層に積み重ねて漬け込むことを特徴とする請求項１に記載の大根のかぼちゃ漬けの製造方法。
【請求項３】
前記大根の敷詰めを各層対角方向にすることを特徴とする請求項２に記載の大根のかぼちゃ漬けの製造方法。
【発明の詳細な説明】
【技術分野】
【０００１】
本発明は、甘味料、着色剤等の添加物を使用しない大根のかぼちゃ漬けの製造方法に関する。
【背景技術】
【０００２】
従来、大根は、たくあん、みそ漬け、かす漬けなどの漬物、その他の食材として多く用いられている。
【０００３】
一方、かぼちゃは、ビタミンＡ、Ｃ、Ｅ、その他多くの栄養素を含む緑黄食野菜で栄養価も高い食物である。しかしながら、従来、かぼちゃの食用範囲は他の食材に比べて狭く、煮物、サラダ、スープ等の具などとして用いられている。
【発明の概要】
【発明が解決しようとする課題】
【０００４】
発明者は、前記栄養価の高いかぼちゃの食用範囲を拡大すること及び従来と異なった味覚の大根の漬物を甘味料、着色剤等の添加物を使用することなく提供することを目的とする。
【課題を解決するための手段】
【０００５】
前述した目的を達成するための本発明は、乾燥により水分を減少させた大根と、煮てすり潰したかぼちゃと、砂糖、塩、糠と、からなり、漬物樽内に前記かぼちゃを敷均し、その上に砂糖を敷均し、その上に塩を敷均し、その上に糠を敷均した後、その上に前記大根を隙間なく敷詰め、さらに大根の上に前記と同様に順次かぼちゃ、砂糖、塩及び糠を敷均し、大根を敷詰めて、落とし蓋及び重石を載せて漬け込むことを特徴とする（請求項１）。
【０００６】
前記方法を実施することにより、特にかぼちゃ、その他、砂糖、塩、糠の働きで、旨味とコクのある大根のかぼちゃ漬けを甘味料、着色剤等の添加物を使用することなく提供することができる。
【０００７】
本発明の実施の一形態は、前記かぼちゃ、砂糖、塩、糠及び大根を順次多層に漬け込むことを特徴とする（請求項２）。この実施の一形態によれば、均一の旨味とコクのあるかぼちゃ漬けを効率よく得ることができる。
【０００８】
本発明の実施の一形態は、前記大根の敷詰めを各層対角方向にすることを特徴とする（請求項３）。この実施の一形態によれば、多層に漬け込んだ場合の全体の大根の厚さが均等化される。したがって、落とし蓋及び重石によって大根に加えられる荷重も均等化されて大根の漬け具合の均一化を図ることができる。
【発明の効果】
【０００９】
本発明によれば、栄養価の高いかぼちゃの食用範囲を拡大すること及び従来と異なった味覚の大根の漬物を甘味料、着色剤等の添加物を使用することなく提供することができる。
【００１０】
以上、本発明について簡潔に説明した。さらに本発明を詳細に説明する。
【図面の簡単な説明】
【００１１】
【図１】本発明の方法を実施するための装置の一実施例を示す断面図である。
【図２】本発明の方法のフローチャートである。
【発明を実施するための形態】
【００１２】
以下、本発明の実施の一形態による大根のかぼちゃ漬けの製造方法を説明する。
【００１３】
図１は、本発明を実施するための装置の一実施例を示す断面図である。
【００１４】
図中、Ａは漬物用の樽（４斗樽）、Ｂは前記樽Ａの内部に敷詰めるビニール袋である。該ビニール袋Ｂは前記樽Ａの内部から該樽Ａの開口部に載せてさらに樽Ａの外周に垂れ下げて設ける。このように設けることにより、落とし蓋及び重石（図示せず）を含めて漬け込み完了後に上部で縛り閉塞することができる。
【００１５】
図中、１は漬け込み前日に柔らかく煮てすり潰して冷やしておいたかぼちゃを樽Ａ内全体に敷均したかぼちゃ層である。２は同じく樽Ａ内全体に敷均した砂糖層であり、例えば、きざら砂糖である。３は同じく樽Ａ内全体に敷均した塩層であり、例えば天塩である。４は同じく樽Ａ内全体に敷均した糠層であり、例えば、ふすま入り糠である（図２：工程１）。
【００１６】
さらに、５は、前記糠層４の上面に敷詰められた大根層であり、乾燥により水分を減少させたもので、具体的には、１週間程度の自然乾燥あるいは４８時間から７２時間程度の機械乾燥したものである（図２：工程２）。
【００１７】
本発明では、図１に示す通り、樽Ａ内全体に、かぼちゃ層１、砂糖層２、塩層３、糠層４が敷均され、大根層５が敷詰められる。さらに、これらが多層に積み重ねられる。図中、６は二層目（図２：工程３〜４）である。同様にして、三層目（図２：工程５〜６）及び続いて多層漬けが行われる。なお、前記製造方法を実施するに適した環境は気温−３〜１０°Ｃである。
【００１８】
前記の工程により６層〜７層を繰り返した場合の４斗樽（８０型７２Ｌ）当たりの、かぼちゃ分量は９．０ｋｇ、砂糖分量は７．０ｋｇ、塩分量は０．９ｋｇ、糠分量は１．０ｋｇであった。
【００１９】
また、漬け込み期間は３５〜４５日が好ましく、得られた大根は旨味とコクがあり、昔ながらの素材の味が味わえ、食感もシャキシャキして歯切れがよく食べた後も口の中に旨味成分が残る感じである。
【符号の説明】
【００２０】
１    かぼちゃ（層）
２    砂糖（層）
３    塩（層）
４    糠（層）
５    大根（層）
Ａ    漬物用の樽
【図１】
2019118264.tif 000003
【図２】
2019118264.tif 000004
(57)【要約】      （修正有）【課題】従来の３層構造の半導体素子である、バイポーラ・トランジスターを高速スイッチング用半導体素子のトランジスターとして動作する様にする。【解決手段】バイポーラ・トランジスターの半導体チップ上での構造は、基盤部分にコレクター層が形成される。エミッター層は、半導体チップ上の表面部分にコレクターよりも小さい面積で形成されるので、エミッターにはコレクター電流が集中して流れる。ベース層は、エミッター層よりもＰＮ接合の面積は大きいものの、ベース層とコレクター層の間に真性半導体層を挟む。電圧をかけた場合には、エミッター・ベース間よりもベース・コレクター間のポテンシャル障壁のエネルギー差が大きく、ＰＩＮダイオードの様に、キャリアーの蓄積時間と逆回復時間の極めて短い真性半導体層を挟む事に依って空乏層が出来て、コレクター電流のＯＮ／ＯＦＦが高速になる。【選択図】なし【特許請求の範囲】
【請求項１】
高速スイッチング用トランジスターの設計方法
【発明の詳細な説明】
【技術分野】
【０００１】  この発明は、工学分野に関する物である。
【発明の概要】
【０００２】  この発明は、バイポーラ・トランジスターのスイッチング速度を、今までの３層構造のバイポーラ・トランジスターよりも６〜７桁以上も速くする為の設計方法に関する物である。
【背景技術】
【０００３】  今までのバイポーラ・トランジスターは、薄く形成したベース層を中心にＰ型半導体とＮ型半導体を３層に接合した構造の半導体素子で、接合した３層のＰ型半導体、Ｎ型半導体層中のフェルミ・レベルは等しくなり、このフェルミ・レベルに対して価電子帯、伝導帯のエネルギー準位は、それぞれフェルミ・レベルの下側と上側に形成され、Ｐ型半導体とＮ型半導体を接合する事に依り、３層の半導体層中のフェルミ・レベルが等しくなり、このフェルミ・レベルが等しくなる事に依り、Ｐ型半導体とＮ型半導体のＰＮ接合部分には、伝導帯や価電子帯のポテンシャル障壁が形成される。バイポーラ・トランジスターに電圧をかけた場合にも、３層の半導体層中のフェルミ・レベルは等しく、このＰＮ接合部分の伝導帯や価電子帯のポテンシャル障壁を電子やホール等のキャリアーが昇り降りした残りのエネルギーがジュール熱として放出される。このＰＮ接合部分のポテンシャル障壁は、電子やホール等のキャリアーに対しては純抵抗として働き、ポテンシャル障壁をキャリアーが通過する時にジュール熱が発生する。半導体の接合温度を越えない様にする為には、ＰＮ接合部分の電流密度を下げる為に、一つのエミッターに電流が集中しない様に半導体チップ上に、数多くの小さいエミッターを分散して形成し、ＰＮ接合の面積を小さくする、オーバーレイ方式がある。バイポーラ・トランジスターに電圧をかけた場合には、エミッター・ベース間よりもベース・コレクター間のポテンシャル障壁のエネルギー差が大きく、バイポーラ・トランジスターの大部分のジュール熱は、このベース・コレクター間のＰＮ接合部分で発生している。
ＳＨＦ帯のマイクロ波を使った衛星通信の信号の切り替えには、キャリアーの蓄積時間と逆回復時間の極めて短い、真性半導体層をＰ型半導体とＮ型半導体の間に挟んだ、ＰＩＮダイオードがある。Ｐ型半導体とＮ型半導体の間に挟んだ真性半導体層は、殆ど電子やホール等のキャリアーが存在しない空乏層となり、キャリアーの蓄積時間が極めて短い為に、真性半導体層中のキャリアーの寿命は極めて短く、ＰＩＮダイオードにかかる電圧が逆バイアスになると真性半導体層中のキャリアーは極めて短い時間で消滅する。この為に、ＰＩＮダイオードのスイッチング速度は普通のＰＮ接合ダイオードよりも桁違いに速く、ＳＨＦ帯のマイクロ波で通信をする衛星通信などの信号の切り替え等に使われている。
【発明の開示】
【発明が解決しようとする課題】
【０００４】  今までの３層構造の半導体素子である、バイポーラ・トランジスターを高速スイッチング用半導体素子のトランジスターとして動作する様にする。
【課題を解決するための手段】
【０００５】  バイポーラ・トランジスターは、薄く形成したベース層を中心にＰ型半導体とＮ型半導体を３層に接合した構造の半導体素子で、Ｐ型半導体とＮ型半導体をＰＮ接合した為に、３層の半導体層のフェルミ・レベルが同じエネルギー準位になり、Ｐ型半導体とＮ型半導体のＰＮ接合部分には、伝導帯や価電子帯のポテンシャル障壁が形成される。バイポーラ・トランジスターに電圧をかけた場合には、エミッター・ベース間よりもベース・コレクター間のポテンシャル障壁のエネルギー差が大きく、此処にトランジスターが高速にスイッチング動作をする様にＰＩＮダイオードの様にキャリアーの蓄積時間と逆回復時間の極めて短い真性半導体層を挟む事に依って空乏層が出来て、コレクター電流のＯＮ／ＯＦＦが高速になり、このエネルギー差の大きいベース・コレクター間のＰＮ接合の間に真性半導体層を挟む事に依って、ＳＨＦ帯で使うＰＩＮダイオードの様に、バイポーラ・トランジスターが高速でスイッチング動作をする様になる。バイポーラ・トランジスターに電圧をかけた場合に、ポテンシャル障壁のエネルギー差の大きいベース・コレクター間に真性半導体層を挟む事に依り空乏層が出来、真性半導体層内のキャリアーの蓄積時間と逆回復時間が極めて短い事から、極めて短い時間でコレクター電流の流れが停止して、真性半導体層をベース・コレクター間のＰＮ接合の間に挟む構造にする事に依り、バイポーラ・トランジスターが、今までの３層構造のバイポーラ・トランジスターよりも６〜７桁以上も高速にスイッチング動作をする様になる。バイポーラ・トランジスターの半導体チップ上での構造は、基盤部分にコレクター層が形成され、エミッター層は半導体チップ上の表面部分にコレクターよりも小さい面積で形成されるので、エミッターにはコレクター電流が集中して流れ、ベース層はエミッター層よりもＰＮ接合の面積は大きいものの、ベース層とコレクター層の間に真性半導体層を挟む構造にトランジスターを設計する事は、高速スイッチング動作をするバイポーラ・トランジスターを制作する上で、必要なスイッチング素子の構造である。
【発明の効果】
【０００６】  この発明により、バイポーラ・トランジスターはユニポーラ・トランジスターのＭＯＳＦＥＴ依りも高速にスイッチング動作をする様になり、ＣＰＵ等の、高速にスイッチング動作をする半導体素子が必要な電子回路に使用すれば、今までのＣＰＵよりも数桁も速く動作するＣＰＵやＬＳＩを制作する事が出来る。
(57)【要約】      （修正有）【課題】ＬＥＤを光源とする非常用照明において、点灯時間の短縮を抑えながら照度低下を緩和する。【解決手段】非常用照明１は、非常用電源２と、ＬＥＤ光源３と、ＬＥＤ駆動回路４と、光源電流監視手段５と、光源電圧監視手段６を備える。ＬＥＤ光源の温度が上昇することによるＬＥＤ光源電圧の低下を、光源電圧監視手段６により検出し、ＬＥＤ駆動回路４に伝達する。ＬＥＤ駆動回路４は、ＬＥＤ光源電圧の低減率以下の増加率でＬＥＤへの供給電流を増加させる。【選択図】図１
2019096449.tif 000002
【特許請求の範囲】
【請求項１】
外部電源からの電力供給が断たれた際に、電力供給を行う非常用電源と、点灯するＬＥＤ光源と、前記非常用電源からの電力を前記ＬＥＤ光源に供給する非常用点灯回路と、を備え、
前記ＬＥＤ光源の温度が上昇した際に前記ＬＥＤ光源への供給電流を増加し、その増加率はＬＥＤ光源電圧の低減率以下である非常用照明。
【発明の詳細な説明】
【技術分野】
【０００１】
本発明は、非常用照明に関するものである。
【背景技術】
【０００２】
ＬＥＤを駆動するための制御動作として、特許文献１に記載されたように定電流制御にてＬＥＤを点灯させる制御動作が一般的である。また一般的なＬＥＤの特性として温度上昇に伴い発光効率は低下し、定電流駆動においては光出力が減少する。
【先行技術文献】
【特許文献】
【０００３】
【特許文献１】特開２００５-１２３１７８号公報
【発明の概要】
【発明が解決しようとする課題】
【０００４】
非常用照明は、高温環境下で点灯することが想定されるが、光出力の減少による照度低下は小さい方が望ましい。
【０００５】
ただし、非常時に電力供給を行う非常用電源はバッテリであり、照度低下を補正するためにＬＥＤの駆動電流を低下した比率分増加すると、常温環境下より電力が増大することにより、点灯時間が短縮する。
【０００６】
本発明によれば、電力増大による点灯時間の短縮は回避しながら、高温環境下における照度低下を緩和することを目的とする。
【課題を解決するための手段】
【０００７】
外部電源からの電力供給が断たれた際に電力供給を行う非常用電源と、外部電源からの電力供給が断たれた際に点灯するＬＥＤ光源と、非常用電源からの電力をＬＥＤに供給する非常用点灯回路を備えた非常用照明で、ＬＥＤ光源の温度が上昇した際にＬＥＤ光源への供給電流を増加し、その増加率はＬＥＤ光源電圧の低減率以下であることを特徴とする。
【発明の効果】
【０００８】
本発明によれば、ＬＥＤ光源の温度が上昇した際に、ＬＥＤ光源電圧の低減率以下の増加率でＬＥＤ光源への供給電流を増加することで、非常用照明の点灯時間の短縮を抑制し、照度低下を緩和することができる。
【図面の簡単な説明】
【０００９】
【図１】本発明の一実施例の構成例を示す図である。
【図２】本発明の一実施例におけるＬＥＤへ供給する電圧、電流の関係を示す図である。
【発明を実施するための形態】
【００１０】
本実施形態の一例を、図１および図２を用いて説明する。
【００１１】
非常用照明１は非常用電源２、ＬＥＤ光源３、ＬＥＤ駆動回路４、光源電流監視手段５、光源電圧監視手段６を備え、光源電流監視手段５、光源電圧監視手段６はそれぞれの監視信号をＬＥＤ駆動回路４に伝達し、ＬＥＤ駆動回路４は監視信号に応じて動作する。
【００１２】
ＬＥＤ駆動回路の動作として、ＬＥＤ光源電流とＬＥＤ光源電圧の関係は、図２において、常温環境下におけるＬＥＤ光源電流をＩＬＥＤ１、ＬＥＤ光源電圧をＶＬＥＤ１、高温環境下におけるＬＥＤ光源３のＬＥＤ光源電流をＩＬＥＤ２、ＬＥＤ光源電圧をＶＬＥＤ２とする。
(ＩＬＥＤ２-ＩＬＥＤ１)/ＩＬＥＤ１≦(ＶＬＥＤ１-ＶＬＥＤ２)/ＶＬＥＤ１
ここで、上記の関係を満足するようにＬＥＤ光源電流を設定することにより非常用照明の点灯時間の短縮を抑制し、高温環境下での照度低下を緩和することができる。
【００１３】
温度上昇によりＬＥＤ光源電圧がＶＬＥＤ１からＶＬＥＤ２へ低下するにつれ、光源電圧監視手段６により信号が伝達されＬＥＤ駆動回路４がＬＥＤ光源電流をＩＬＥＤ１からＩＬＥＤ２へ増加する。ＬＥＤ光源電圧の変動に合わせてＬＥＤ光源電流は変化する。
【００１４】
電圧監視手段６としては、例えば、抵抗などが考えられる。
【００１５】
つまり、ＬＥＤ光源の温度が常温から高温に上昇した際に、ＬＥＤ光源への供給電流を増加し、その増加率はＬＥＤ光源電圧の低減率以下となるようにすることで、高温環境下での照度低下を緩和することができる。言い換えると、ＬＥＤ光源の温度が上昇した際に、ＬＥＤ光源電圧の低減率以下の増加率でＬＥＤへの供給電流を増加することで、上記効果を奏する。
【図１】
2019096449.tif 000003
【図２】
2019096449.tif 000004
(57)【要約】      （修正有）【課題】Ｔｗｉｔｔｅｒでやり取りをする電子部品のハードウェアソフトウェアを提供する。【解決手段】電子部品にＴｗｉｔｔｅｒを動作させるためのハードウェアソフトウェアを付属させる。【選択図】図１
2019096278.tif 000002
【特許請求の範囲】
【請求項１】
電子部品にＴｗｉｔｔｅｒを動作させるためのハードウェアソフトウェアを設け電子部品にＴｗｉｔｔｅｒを動作させるためのハードウェアソフトウェアを付属させた電子部品。
【発明の詳細な説明】
【技術分野】
【０００１】この発明はＴｗｉｔｔｅｒでやり取りをする電子部品のハードウェアソフトウェアに関するものである。
【背景技術】
【０００２】従来、Ｔｗｉｔｔｅｒでやり取りをする電子部品のハードウェアソフトウェアはなかった。
【発明の概要】
【発明が解決しようとする課題】
【０００４】これは次のような欠点があった。
従来、Ｔｗｉｔｔｅｒでやり取りをする電子部品のハードウェアソフトウェアがなく困っていた。
【課題を解決するための手段】
【０００５】電子部品のハードウェアソフトウェアでＴｗｉｔｔｅｒ画面を開きその上でコミュニケーション行う。
本発明は、以上の構成よりなるＴｗｉｔｔｅｒでやり取りをする電子部品のハードウェアソフトウェアである。
【発明の効果】
【０００６】Ｔｗｉｔｔｅｒ上でやり取りをする電子部品のハードウェアソフトウェアを開発することができた。
【図面の範単な説明】
【０００７】
【図１】
本発明の正面図である。
【発明を実施するための形態】
【０００８】以下、本説明を実施するための形態について説明する。
電子部品にＴｗｉｔｔｅｒを動作させるためのハードウェアソフトウェアを付属させる。
本発明は、以下のような構成である。
これを使用するときは、Ｔｗｉｔｔｅｒを動作させればよい。
【符号の説明】
【０００９】１  電子部品
【図１】
2019096278.tif 000003
(57)【要約】【課題】従来のパソコンは、大きく、重たく、ノート型パソコンが簡易的だといっても、やはり、カバンには、ノート型パソコンしか入らない状態で、やはり、スマホほどではなくとも、もう少しうすくかるくもちはこびしやすいものにならないだろうかという疑問があった。又、キーボード操作が複雑で、小学生、中学生、主婦、高齢者にとっては、とっつきにくいものであり、購入するとしても、購入先のサポートがなければ、入力、検索がむずかしいものであった。【解決手段】ノート型パソコンよりも小さく、スマホより大きく、検索しやすい、見やすくするために、ノート型パソコンの画面とキーボードを分け、外へ持ちはこぶ時は、画面だけ、家へ帰ったら、手入力かパネルタッチかキーボードをつけてえらんで入力できるようにした。【選択図】図１
2019096277.tif 000002
【特許請求の範囲】
【請求項１】
ノート型パソコンの液晶画面とキーボードを別々にしたもので、タブレットの大きさは、スマホより大きく、ノート型パソコンよりも小さいもの。
インターネットにつながっており、文字入力をパネルタッチか手書入力できるもの。
家でキーボード操作したければ、別売キーボードと接続して入力できるもの。
【請求項２】
インターネットにつながっていて、パネルタッチ入力で機材につながっている画面又はリモコンではなれたところから指示をだすと反応のあるもの。
【請求項３】
機材につながる画面でパソコン（遠隔操作）操作の影響をうけるもの
【請求項４】
タブレットに呼びかけると、検索ができるもの、反応があるもの
声をかけると文字が入って検索になるもの
【発明の詳細な説明】
【技術分野】
【０００１】本発明は、一般のパソコンを簡易化したタブレットに関する。【０００２】従来は、一般家庭、企業に於いても、液晶画面にキーボードがつながったノートパソコンが多く出回っている。ノートパソコン以外だと、パソコンの機能を備えたものとして、スマホとデスクトップパソコンが存在する。【０００３】スマホは、手のひら大の大きさであり、パソコンの機能を備えてはいるが、画面が小さく、主に、電話、メール、検索を主とする機材である。
又、ノートパソコンは、液晶画面にキーボードがつながっており、キーボード検索を主とし、重量的にずいぶんと重く、カバンに入れるとそれだけしかもちはこべないものである。又、キーボード操作は、学生や高齢者、主婦にとって、非常に難しく、パソコンスクールにいくか、買った会社のサポート（電話質問）がつかなければ、自由に、かんたんに使いこなせるものとは思えないものであった。
又、デスクトップパソコンとは、文字どおり、机上でしか使用しない大きいパソコンであり、もちはこぶことはできないが、画面が大きく、見やすい利点がある。
【発明の概要】
【発明が解決しようとする課題】
【０００４】以上に述べたように、スマホでは、画面が小さすぎ、入力に向かない。
ノートパソコンは、大きく、重く、キーボード操作が非常に難しく、高齢者、主婦、不慣れな学生にとっては、何らかのサポートがなければ、使用困難で販売が滞っている状たいであった。又、ノートパソコンの持ち運びは、デスクトップパソコンよりは、楽であるといえるが、やはり、カバンには、それ以外のものも入れてふつうに運べるものとは思えない程大きく、重く、キーボードのところがぶ厚かった。
デスクトップパソコンにおいては、机上の入力を主とするものであり、キーボード操作が難しく、買った会社のサポートがなければ、ふつうの主婦や学生、高齢者にとって使用が楽とはいえない難点があった。又、デスクトップパソコンは、手書き入力が主とはいえない商品である。
【課題を解決するための手段】
【０００５】本発明は、上記の難点をクリアするため、ノート型パソコンのキーボードと液晶画面を別々に切りはなし、スマホより画面が大きく、うすくて軽くて、持ち運びに適しており、画面入力は、キーボードなしでも、手でタッチパネルを使用してタップすることにより実現できるようになっている。キーボード操作がないことで、複雑な知識やテクニックを覚えることがなく、買った会社のサポートをとくになしにしても、入力、検索が可能である。
又、キーボードなしで、ノートパソコンの画面より少し小さめの画面（うすい）にすれば、価格としても、材料がかかっていないので格安である。
キーボード操作がなく、パネルタッチにすることで、ローマ字がよめない小学生でも使用が可能である。そのことにより、パソコン学習はローマ字がわかる中学生からにしなくても、より早期からはじめることができ、その分習熟することも可能となる。
又、キーボードを切りはなしたことで、画面に市販のタブレットタッチペンを使用すれば、手書き入力が可能である。又、キーボード操作に切りかえたければ、別売キーボードをコードレスで購入すれば、キーボード操作も可能である。
【発明の効果】
【０００６】本発明により、格安に、かつ非常に広範囲の人々に気楽に簡単で持ちはこびに便利な簡易パソコンを提供できる。
キーボードを操作できなくても容易に検索ができ、入力は、タッチパネルか手入力どちらか好きな方を選べるという利点がある。
小学生などローマ字を覚えなくても、指でタッチして検索が可能であり、パソコンに対する難しい使えないという抵抗感をとばすことができる。
外へ行くときは、液晶画面だけ、家では、キーボードに接続することもできる。
【図面の簡単な説明】
【０００７】
【図１】本発明の正面から見た液晶画面
【図２】パネルタッチの存在する画面的位置
【図３】パネルタッチ画面の文字の選択図
【発明を実施するための形態】
【０００８】本発明の実施形態を図１から図３に基づいて説明する。
【０００９】図１において、１はタブレットの液晶画面である。２は電源であり、ここを押すとスイッチが入る。
図２は、液晶画面であり、入力するとき、キーボード（別売コードレス）を使わない場面でパネルタッチ画面をだして、ローマ字入力でなく、ひらがな、ａｂｃ、ＡＢＣを自由にえらんで画面タッチにより入力する。
手書き入力したいときは、パネル左横のボタンを押して、パネル部をまっ白にすると指で自由に文字をかくことにより入力ができる。
【図１】
2019096277.tif 000003
【図２】
2019096277.tif 000004
【図３】
2019096277.tif 000005
(57)【要約】      （修正有）【課題】防犯等に供するカメラの設置に必要となる電源のほかに、監視するための機器へ信号を送る配線など、特に複数のカメラを設置する場合には設置工事に必要な費用や工期を抑制する。【解決手段】監視システムは、既存の電気設備である信号機５や街路灯７などの照明器具や誘導灯２のみならず、自動販売機や駐車場出入口の発券機その他既存設置物から電源の供給を受け、また無線ＬＡＮなどの通信環境を利用することにより、画像を確認できる仕組みが大規模な配線設置を必要とせずに実現する。【選択図】図１
2019186901.tif 000002
【特許請求の範囲】
【請求項１】
防犯や防災等の目的に供されるカメラで、電源の供給を常時通電している設備類、特に誘導灯や階段踊場等の常夜灯、信号機、駐車場出入口などの清算機、自動販売機類、常時点灯している照明器具等からの供給を受けることにより稼動できるもので、信号を無線送信することにより、録画装置への配線を省略できるもの、ならびにそのシステム。
【発明の詳細な説明】
【技術分野】
【０００１】  本発明は防犯等の目的に供するカメラに関する。
【背景技術】
【０００２】  これまでの技術では、カメラの設置に加え電源の確保や画像の信号の送受信について、カメラごとに配線が必要であり、設置に際しては電源や信号に係る配線が大きな負担であった。
【発明の概要】
【発明が解決しようとする課題】
【０００３】  これら電源や画像に関する信号など配線に関し不都合を解決し、カメラの設置を容易にすることを課題とする。
【課題を解決するための手段】
【０００４】  この課題を解決するため請求項１の発明は、既存の電気設備である信号機や街路灯などの照明器具や誘導灯のみならず自動販売機や駐車場出入口の発券機その他既存設置物から電源の供給を受けることで画像を確認できる仕組みが大規模な配線設置を必要とせずに実現する。
【発明の効果】
【０００５】  この発明により、安価かつ容易に多数のカメラの設置に寄与することでき、監視可能な範囲の拡大に資することが可能となる。【０００６】  また、無線ＬＡＮなどの通信環境を利用することにより遠隔での監視が可能となることから、移動中の交通機関の車内の様子を監視するなども可能となる。【０００７】  これらのことにより事件事故の発生を遠隔地から把握することができ、また画像が記憶されるようにすることで事件解決へ寄与できる事が期待でき、同時に犯罪抑止についても効果を期待することができる。
【図面の簡単な説明】
【０００８】
【図１】  本発明の実施状況のイメージ図
【図２】  カメラを誘導灯に内蔵する場合の設置イメージ図
【図３】  カメラを誘導灯本体に外装して設置する場合の設置イメージ図
【図４】  カメラを誘導灯本体直近に設置する場合の設置イメージ図
【図５】  カメラを信号機の灯体本体に設置する場合の設置イメージ図
【図６】  カメラを信号機の灯体直近に設置する場合の設置イメージ図
【図７】  カメラを電柱に設置する場合の設置イメージ図
【図８】  カメラを街路灯の灯体本体に設置する場合の設置イメージ図
【図９】  カメラを街路灯の灯体直近に設置する場合の設置イメージ図
【図１０】  カメラを壁面等の照明器具に設置する場合の設置イメージ図
【図１１】  カメラを壁面等の照明器具の直近に設置する場合のイメージ図
【発明を実施するための形態】
【０００９】  本発明の実施は、図１に概要を示したように信号機や街路灯ならびに誘導灯など各所に設置された既存電気設備からカメラや、その制御機器、信号送信装置に電源を供給するようにすることで、広範囲に遠隔監視を行うことができる。
【００１０】  図２はカメラを内蔵する要領の非常口付近に設置される誘導灯をイメージした図であり、ピンホール若しくは突起部分３を設けた状況を示したものである。
【００１１】  図３はカメラを誘導灯に外装する設置状況をイメージしたものである。
【００１２】  図４はカメラを誘導灯の直近に設置する場合の状況をイメージしたものである。
【００１３】  図５はカメラを信号機本体に外装する設置状況をイメージしたものである。
【００１４】  図６はカメラを信号機本体の直近に設置する場合の状況をイメージしたものである。
【００１５】  図７はカメラを電柱に設置する場合の状況をイメージしたものである。
【００１６】  図８はカメラを街路灯の灯体本体に外装する場合の設置状況をイメージしたものである。
【００１７】  図９はカメラを街路灯の灯体付近に設置する場合の状況をイメージしたものである。
【００１８】  図１０は壁面等に設置する照明器具にカメラを外装する状況をイメージしたものである。
【００１９】  図１１は壁面等に設置する照明器具の直近にカメラを設置した場合の状況をイメージしたものである。
【産業上の利用可能性】
【００２０】  本発明に係る監視システムは、配線工事を大幅に省略でき、広範囲な監視を容易に実現できることから、産業上の利用可能性を有する。
【符号の説明】
【００２１】１    画像を受信する端末機器
２    誘導灯
３    カメラ用のピンホール若しくは突起部
４    カメラを内包するためのカメラカバー
５    信号機
６    電柱
７    街路灯灯体
８    壁面に設置する照明器具
【図１】
2019186901.tif 000003
【図２】
2019186901.tif 000004
【図３】
2019186901.tif 000005
【図４】
2019186901.tif 000006
【図５】
2019186901.tif 000007
【図６】
2019186901.tif 000008
【図７】
2019186901.tif 000009
【図８】
2019186901.tif 000010
【図９】
2019186901.tif 000011
【図１０】
2019186901.tif 000012
【図１１】
2019186901.tif 000013
(57)【要約】      （修正有）【課題】アコースティックギターでアームアップやアームダウン出来るようにするためにプラスチック製トレモロアーム付きブリッジを提供する。【解決手段】アコースティックギターのブリッジ付近にザグリを入れ、プラスチック製エスカッション１にはめ込み、その中にプラスチック製板バネ２をフローティングし、プラスチック製トレモロアームバー３でアップやダウンを行う。【選択図】図１
2019003205.tif 000002
【特許請求の範囲】
【請求項１】
アコースティックギターに取り付けるプラスチック製トレモロアーム付きブリッジ
【発明の詳細な説明】
【技術分野】
【０００１】この発明はアコースティックギターのプラスチック製トレモロアーム付きブリッジに関するものである
【背景技術】
【０００２】従来、アコースティックギターのブリッジは固定されていた。
【先行技術文献】
【０００３】
【特許文献１】
【非特許文献１】
【発明の概要】
【発明が解決しようとする課題】
【０００４】これは次のような欠点があった
（イ）アコースティックギターでトレモロアームを使うことが出来なかった
本発明は、以上のような欠点をなくすためになされたものである。
【課題を解決するための手段】
【０００５】アコースティックギターのブリッジ付近にザグリを入れないればならない。
本発明は、以上の構成によりなるアコースティックギターのプラスチック製トレモロアーム付きブリッジである
【発明の効果】
【０００６】（イ）アコースティックギターでアームアップやアームダウンが出来るようになる。
【図面の簡単な説明】
【０００７】
【図１】  本発明の見取り図である
【発明を実施するための形態】
【０００８】以下、本発明を実施するための最良の形態について説明する
アコースティックギターのブリッジ付近にザグリを入れ（１）プラスチック製エスカッションにはめ込み、その中に（２）プラスチック製板バネをフローティングし、（３）プラスチック製トレモロアームバーでアップやダウンが出来るようにする。
本発明は、以上のような構造である
【符号の説明】
【０００９】１  プラっチック製エスカッション
２  プラスチック製板バネ
３  プラスチック製トレモロアームバー
【図１】
2019003205.tif 000003
(57)【要約】      （修正有）【課題】歯科診療中に術野を照らしている照明器具の照射角度を電動で上下左右調整できる照明器具を提供する。【解決手段】既存の自動車の電動ドアミラーを分解し、サイド・ミラーの角度を電動で上下左右調整するモーターを内蔵した部品３を取り出し、サイド・ミラーが取り付けられていた角度調整可動部２に診療台の照明器具の光源部１を取り付け、それらを照明器具が取り付けられていた診療台のアーム部分４に一体として取り付ける。また車内に装着されているサイド・ミラーの角度を上下左右調整するスイッチの取り出しを行い、照明器具の光源部を取り付けたサイド・ミラーの角度を電動で上下左右調整するモーターを内蔵した部品３と連動して可動できるように再配線を行う。【効果】自動車のサイド・ミラーの角度調整用のモーターを内蔵した部品を、歯科診療台の照明器具に取り付けたことにより、電動で照射角度が上下左右自由に調整できる。【選択図】図１
2019003922.tif 000002
【特許請求の範囲】
【請求項１】
歯科診療中に口腔内の術野を照らしている照明器具の照射角度を電動で上下左右調整できる照明器具。
【請求項２】
既存の自動車の電動ドアミラーを分解し、サイド・ミラーの角度を電動で上下左右調整するモーターを内蔵した部品を取り出しドアミラーが備えつけられていた部分に診療台の照明器具の光源部を取り付け、それを照明器具が取り付けられていた診療台のアーム部分に一体として取り付ける。
サイド・ミラーの角度調整用のモーターを内蔵した部品を歯科診療台の照明器具の光源部に取り付けことにより電動で照射角度を上下左右自由に調整できるようにした。
【請求項３】
また車内に装着されているサイド・ミラーの角度を上下左右調整するスイッチの取り出しを行い、照明器具の光源部を取り付けたサイド・ミラーの角度を電動で上下左右調整するモーターを内蔵した部品と連動して可動できるように再配線を行う。
角度を調整操作するスイッチ部と電動モーターによる照明器具の角度調整可動部は、配線でつながっており連動するようになっている。
【発明の詳細な説明】
【技術分野】
【０００１】  本発明は、歯科診療中に口腔内の術野を照らしている照明器具の照射角度を電動で調整できる照明器具に関するものである。
【背景技術】
【０００２】  歯科診療において基本的に患者の口腔内は暗く、精密な歯科治療を行うには十分な照明が必要になってくる。
既存の歯科診療台には、光量が十分な照明器具が備わっている。
しかしながら既存の歯科診療台の照明器具の患部を照らす照射方向や角度の調整は、ほとんどのものが手動式である。
【先行技術文献】
【０００３】
【特許文献】
【非特許文献】
【発明の概要】
【発明が解決しようとする課題】
【０００４】  歯科診療において基本的に患者の口腔内は暗く、精密な歯科治療を行うには十分な照明が必要になってくるため、既存の歯科診療台には光量が十分な照明器具が備わっている。
しかしながら既存の歯科診療台の照明器具の患部を照らす照射方向や角度の調整は、ほとんどのものが手動式である。
そのため治療部位の変更や患者の体位の変化により照射している対象物からずれることがあると手動式のため治療を一度中断して手を高く挙げて照明器具の調整が必要であった。
本発明は、歯科診療中に術野を照らしている照明器具の照射角度を電動で上下左右の調整ができる照明器具を提供するものである。
【課題を解決するための手段】
【０００５】本発明では上記目的を達成するために、次の技術手段を講じている。
照射角度を電動で調整できる照明器具の開発にあたっては、自動車の電動ドアミラーの角度調整機能を応用した。
既存の自動車の電動ドアミラーを分解し、サイド・ミラーの角度を電動で上下左右調整するモーターを内蔵した部品を取り出しドアミラーが備えつけられていた部分に診療台の照明器具の光源部を取り付け、それを照明器具が取り付けられていた診療台のアーム部分に一体として取り付ける。
また車内に装着されているサイド・ミラーの角度を上下左右調整するスイッチの取り出しを行い、照明器具の光源部を取り付けたサイド・ミラーの角度を電動で上下左右調整するモーターを内蔵した部品と連動して可動できるように再配線を行う。
自動車のサイド・ミラーの角度調整用のモーターを内蔵した部品を歯科診療台の照明器具に取り付けたことにより、電動で照射角度を上下左右自由に調整できるようにした。
照明器具の上下左右の角度調整のスイッチは、直感的に調整できるジョイ・スティック型を選択した。
また照射角度を電動で調整できる照明器具のスイッチをフット・スイッチ型のタイプも作製することにより、診療中に両手が塞がっていても照明器具の角度を足で調整することが可能である。
【発明の効果】
【０００６】  今回開発した照射角度を電動で調整できる照明器具を使用することで以下の利点が考えられる。
▲１▼電動化により手軽に照明角度を微調整できる。
▲２▼手元で照射角度を電動で調整できるため腕を高く挙げるような大きな動作を必要としない。
▲３▼また調整スイッチをフット・スイッチ化することにより診療中の両手が塞がっている時も足で照射角度を調整できる。
▲４▼モーターを内蔵した部品をさらに小型化することにより術者の頭部に装着するヘッド・ライトの照射角度の調整にも応用できる。
今回開発した照射角度を電動で調整できる照明器具を使用することで歯科診療が便利で効率良くできるものと考えられる。
【図面の簡単な説明】
【０００７】
【図１】本発明の照射角度を電動で調整できる照明器具の斜視図である。
【発明を実地するための形態】
【０００８】  以下、本発明の実地の形態について、図面を参照しつつ詳細に説明すれば図１において照射角度を電動で調整できる照明器具の構造は、照明の光源部（１）とサイド・ミラーが取り付けられていた角度調整可動部（２）と角度を電動で上下左右調整するモーターを内蔵した部品（３）と歯科診療台の照明器具を取り付けているアーム部（４）からなる。
車内に装着されていたサイド・ミラーの角度を上下左右調整するスイッチと角度を電動で上下左右調整するモーターを内蔵した部品（３）は配線でつながっており連動するようになっている。
【符号の説明】
【０００９】１  照明の光源部
２  サイド・ミラーが取り付けられていた角度調整可動部
３  角度を電動で上下左右調整するモーターを内蔵した部品
４  歯科診療台の照明器具を取り付けているアーム部
【図１】
2019003922.tif 000003
(57)【要約】      （修正有）【課題】スマートフォンを、安全かつ手指に負担をかけずに使用できるケースを提供すること。【解決手段】スマートフォン１の背面に装着する四角いものの下部に柄を設ける。四角いもの２と柄３の中間に接続部４が存在する。公知のスマートフォン１の使用時には、手で柄３を握り、指で画面を操作をする。柄３によって、公知のスマートフォン１と四角いもの２を支える。四角いもの２は、角が丸みを帯びている形状もあれば、角が四角いものもある。また、公知のスマートフォン１を四角いもの２に装着する方法は、公知のスマートフォンケースの通りである。この使用法により、手指の負担を軽減し、スマートフォンを誤って手から落としてしまうことを防止できる。【選択図】図１
2019087983.tif 000002
【特許請求の範囲】
【請求項１】
スマートフォンの背面に装着する四角いものの下部に柄を設けた  スマートフォンケース。
【発明の詳細な説明】
【技術分野】
【０００１】本発明は  柄の付いたスマートフォンケースに関するものである。
【背景技術】
【０００２】スマートフォンは、多くの方に利用されている。
従来の使用法を、図で説明する。
図２の１は公知のスマートフォン、７は公知のスマートフォンケース、６は指である。図２は公知のスマートフォンケース７の両脇を、指６で支えながら使用する。図３の８はは手帳型のスマートフォンケース、５は手である。図３は手帳型のスマートフォンケース８に収納された公知のスマートフォン１の下部を、手５で支えながら、使用する。図４の９はリングである。図４は公知のスマートフォンケース７の背面部にリング９を付け、リング９に指６を通し  図２の通り使用する。
【発明の概要】
【発明が解決しようとする課題】
【０００３】スマートフォンを、両脇で支える使用法は、操作時間が長いと手指に負担がかかり、操作に支障をきたしたり、誤って手から落としてしまう可能性がある。
本発明は、これらの欠点を除去することを目的としている。
【課題を解決するための手段】
【０００４】（１）請求項１の記載の発明は、スマートフォンの背面に装着する四角いものの下部に柄を設けたことを特徴としている。
【発明の効果】
【０００５】本発明によれば、柄の付いたスマートフォンケースを使用することにより、手指の負担を軽減し、スマートフォンを誤って手から落としてしまうことを防止する効果がある。
【図面の簡単な説明】
【０００６】
【図１】本発明の実施例１の正面図
【図２】公知のスマートフォンケースを持った時の正面図
【図３】公知の手帳型のスマートフォンケースを持った時の正面図
【図４】公知のリングが付いたスマートフォンケースを持った時の背面図
【図５】本発明の実施例１の左側面図
【図６】本発明の実施例１の背面図
【図７】本発明の実施例１の柄を収納した時の背面図
【図８】本発明の実施例１の使用中の図
【図９】本発明の実施例２の斜視図
【図１０】本発明の実施例２の柄を収納した時の底面図
【発明を実施するための形態】
【０００７】以下、図面を参照にして、本発明の実施例を詳細に説明する。
【０００８】  図１は、本発明の実施例１の正面図である。  図１は、本発明に公知のスマートフォン１を装着した正面図である。四角いもの２と柄３の中間に接続部４が存在する。公知のスマートフォン１の使用時には図８の通り、手５で柄３を握り、指６で画面を操作をする。柄３によって、公知のスマートフォン１と四角いもの２を支える。四角いもの２は、図１のように、角が丸みを帯びている形状もあれば、角が四角いものもある。また、公知のスマートフォン１を四角いもの２に装着する方法は、公知のスマートフォンケース７の通りである。この使用法により、手指の負担を軽減し、スマートフォンを誤って手から落としてしまうことを防止できる。
【０００９】図５は、本発明の実施例１の左側面図であり、図６は本発明の実施例１の背面図である。背面部には柄３を収納するための溝１０が存在する。溝１０は柄３より一回り大きめである。使用をしない時は、接続部４から、柄３を背面部の側に折り曲げて、柄３を溝１０に収納する。柄３を収納した時の背面図を表したのが  図７である。
また、溝１０に柄３を収納する方法として、溝１０に柄３をはめ込む他に、はめ込んだ柄３と溝１０を、ボタン状のもので固定をする方法がある。
【００１０】図９は、本発明の実施例２の斜視図である。１は、公知のスマートフォンである。実施例２は柄３ａを四角いもの２ａの内部に収納する。四角いもの２ａには、厚み１１があり、下部に存在する厚み１１の内部に、柄３ａを出し入れする。図１０は本発明の実施例２の柄３ａを、収納した時の底面図である
【００１１】公知のスマートフォン１は機種によって差があるが、重さが約１２０グラムあり、その重さのものを支える、また手に持つという性質から、本発明の四角いもの２及び柄３の材質は柔らかいもの、重いものは適さず硬くて軽い材質で作られる。また、四角いもの２と柄３は、お互いに違う材質でも構わない。
【産業上の利用可能性】
【００１２】本発明は、スマートフォンを安全かつ手指に負担を軽減し使用できるので、産業上の利用可能性は、大である。
【符号の説明】
【００１３】１、      公知のスマートフォン
２、２ａ  四角いもの
３、３ａ  柄
４        接続部
５        手
６        指
７        公知のスマートフォンケース
８        手帳型のスマートフォンケース
９        リング
１０      溝
１１      厚み
【図１】
2019087983.tif 000003
【図２】
2019087983.tif 000004
【図３】
2019087983.tif 000005
【図４】
2019087983.tif 000006
【図５】
2019087983.tif 000007
【図６】
2019087983.tif 000008
【図７】
2019087983.tif 000009
【図８】
2019087983.tif 000010
【図９】
2019087983.tif 000011
【図１０】
2019087983.tif 000012
(57)【要約】      （修正有）【課題】第３者に知られたくないものを知られたくない所や人に送るために、主に１０００ＧＨｚ以下の電磁波で、ダンボールなどの向こうのバーコードやＱＲコード（登録商標）のようなコードを読取る装置を提供する。【解決手段】ダンボールなどを通して中が見え、しかも最小５ｍｍはばの反射体からの反射を実現するために、１次元、または２次元コードに、時間的に位置移動する１０ＴＨｚ以下の電磁波ビームを照射して、その反射波を受信して読取る。【選択図】なし【特許請求の範囲】
【請求項１】
１次元、または２次元コードに、時間的に位置移動する１０ＴＨｚ以下の電磁波ビームを照射して、その反射波を受信し読取る装置
【請求項２】
電磁波の照射側、または反射波側のどちらか一方だけはビームではなく、固定した場所でコード全体に広く照射、または受信する請求項１の読取り装置
【請求項３】
電磁波を反射する部分と反射しない部分からなるコードを用いる請求項１、２の読取り装置
【請求項４】
電磁波を反射する部分の反射電力量が２種類以上である請求項１、２、３の読取り装置
【請求項５】
反射する部分の面の方向が複数からなり、受信しやすい請求項１、２、３、４の読取り装置
【請求項６】
コードと送信、および読取る部分の間に電磁波を通すが光を遮蔽するシート等がある請求項１、２、３、４、５の読取り装置
【発明の詳細な説明】
【発明の詳細な説明】
【技術分野】
【０００１】主に１００ＧＨｚ以下の電磁波で、ダンボールなどの向こうのバーコードやＱＲコードのようなコードを読取ることに関する。
【背景技術】
【０００２】
【特許文献】特開２０１４−１６０４９７
【０００３】
【非特許文献】無し
【発明の開示】
【発明が開示しようとする課題】
【０００４】箱の中の物を他人に知られたくない、箱の送付先を他人に知られたくないなどの場合、この外側にバーコードなどを貼っておくと、これらの情報が漏れる。
このような状況があった。
【課題を解決するための手段】
【０００５】ダンボールなどを通して中が見え、しかも、最小５ｍｍ幅の反射体からの反射を実現したい。これを実現するためには１ＴＨｚ以下、現実的には１００ＧＨｚ以下の２次元レーダーなどが良い。なお、横一線など、１次元、または２次元の掃引などができるレーダーなどを用いて、中に入れたコードを読む。
【発明を実施するための最良の形態】
【実施例１】
【０００６】本実施例を図１に示した。
７６．５ＧＨｚの３次元レーダーＡを用意した。送受信アンテナをパラボラアンテナの焦点に置き、平行ビームを放射した。なお、パラボラアンテナは回転すると共に、その回転軸がスイングする構造で、テレビ画面のように０．５°ピッチのラスターが面状に並ぶ。
すなわち左右にも前後も０．５°の解像度である。一方４００ｍｍｘ４００ｍｍｘ高さ１５０ｍｍのダンボール箱Ｂの中に２００ｍｍｘ２００ｍｍの紙に２０ｍｍφと１０ｍｍφの円を導電性ペイントで３ｘ３ヶ描いた円形パターンコードＣを入れた。
なお、円は１つだけ除去した。このダンボールの上４００ｍｍから３次元レーダーでコードを観測した。観測結果をＤに示したが、しっかりと画像が観測できた。
０．５°ピッチでデータを取得し、４００ｍｍ離れているので、解像度は３．５ｍｍピッチであり、また波長は７６．５ＧＨｚで４ｍｍなので、理論的にしっかりと画像となるはずであった。
なお、レーダー波には電界方向Ｅがあり、電界方向に導電パターンが有ると反射波が起こる。今回パターンが円なので電界方向の問題は発生しなかった。
【実施例２】
【０００７】  本実施例を図２に示した。
基本的には実験構成は実施例１と同じだが、コードの型を変えた。長さ１００ｍｍの線状の導電インクパターンを４０ｍｍ間隔で配置した（Ｆ）、なおパターン幅は１０ｍｍ幅と５ｍｍ幅の２つ作った。
結果をＧとＩに示した。Ｇは線状パターンをレーダー波の電界Ｅと平行にした。なお、観測結果は良好であった。
次にレーダーの向きを９０°回転させ、電界Ｅが線状パターンに直交するようにしたところ、細いパターンは観測できなかった。すなわち、コードは線状ではなく、円形や四角形などの方が良いことが分かった。なお、レーダー波を円偏波にすれば、線状コードも使えると考える。
なお、実施例１でも実施例２でも、初めは紙をそのまま使用したところ、レーダーをダンボール箱の真上からコード試料にビームを向けながら横に動かしていくと、反射波が弱くなった。
しかし、紙をしわくちゃにしたところ、そのようなことはなく、斜めからでも反射波を受信できた。
【産業上の利用可能性】
【０００９】箱などの中に入っているものが何なのか、また送り場所がどこなのかを第３者に知らせないようにしながら発送するなどの場合、本方式をとれば実現できる。
なお、反射波の強弱、ピッチの変化などでコード化を行う。また、どこが出発点なのかを示すために、そのためのマーカーをつけると良い。
【図面の簡単な説明】
【図１】３次元ミリ波レーダーでダンボール箱内の導電性円形パターンコードを見た。
【図２】３次元ミリ波レーダーでダンボール箱内の導電性線状パターンコードを見た。
【符号の説明】Ａ  ：  ミリ波レーダー
Ｂ  ：  ダンボール箱
Ｃ  ：  ダンボール箱の中に入れた円形パターンコード
Ｄ  ：  ミリ波レーダーで観測した結果
Ｅ  ：  ミリ波の電界の方向
Ｆ  ：  ダンボール箱の中に入れた線状パターンコード
Ｇ  ：  ミリ波レーダーで観測した結果
線状パターンコードの線方向を電界に平行にした場合
Ｉ  ：  ミリ波レーダーで観測した結果
線状パターンコードの線方向を電界に直行にした場合
【図１】
2019087215.tif 000002
【図２】
2019087215.tif 000003